(57)【特許請求の範囲】
【請求項１】
ピアノの椅子に腰掛けたとき演奏者の足がピアノのペダルに十分届かないような場合に使用するピアノ演奏用補助ペダル装置であって、
高さ調節自在の足置板と、
該足置板上にて揺動可能に設けられた補助ペダルと、
前記補助ペダルの踏み込み力を前記ピアノのペダルに伝達する伝達部材と
を備え、
前記伝達部材はガススプリングを有し、該ガススプリングの操作レバーにより長さ調節可能であることを特徴とするピアノ演奏用補助ペダル装置。
【請求項２】
請求項１記載のピアノ演奏用補助ペダル装置であって、
前記ガススプリングは、
ガスシリンダと、
該ガスシリンダに対して突出・没入するピストンロッドと、
前記ピストンロッドの突出長さを調節する操作レバーと
を備え、
前記操作レバーをオンにすると前記ピストンロッドはガスにより突出方向に付勢され、前記操作レバーをオフにすると前記ピストンロッドは位置固定される
ことを特徴とするピアノ演奏用補助ペダル装置。
【請求項３】
請求項２記載のピアノ演奏用補助ペダル装置であって、
前記ピストンロッドを突出方向に付勢するガスの付勢力は、前記ピアノのペダルを踏込方向に揺動させるための踏込力よりも小さいことを特徴とする
ことを特徴とするピアノ演奏用補助ペダル装置。
【請求項４】
請求項１〜３のいずれかに記載のピアノ演奏用補助ペダル装置であって、
前記操作レバーは、前記足置板の裏面近傍に設けられていることを特徴とするピアノ演奏用補助ペダル装置。
【発明の詳細な説明】
【０００１】
【発明の属する技術分野】
本発明は、ピアノの椅子に腰掛けたとき演奏者の足がペダルに十分届かないような場合に使用するピアノ演奏用補助ペダル装置（以下、単に「補助ペダル装置」ともいう）に関する。
【０００２】
【従来の技術】
従来、補助ペダル装置としては、例えば、実公平５−２６６３８号公報に記載されたものが知られている。
この補助ペダル装置は、図６に示すように、台枠１０２の上面に設けた高さ調節機構としてのジャッキ１０３を介して足置板１０５が設けられ、この足置板１０５上のペダル箱１０７に補助ペダル１１０が揺動自在となるように設けられ、この補助ペダル１１０に連結された伝達部材１１３を介して当接板１１５がピアノのペダルを操作するものである。ジャッキ１０３は、高さ調節レバー１０３ａを回転させると足置板１０５を支持するＸ字状の交叉脚１０３ｂが上下する周知の機構のものである。
【０００３】
ここで、伝達部材１１３は、図７に示すように、上下方向に延びる中空棒１２１、この中空棒１２１の内部にて上下方向にスライド可能となるように挿通されている芯棒１２３、この芯棒１２３を中空棒１２１から任意長さだけスライドさせた位置で固定するための長さ調節ネジ１２５、踏み込まれた補助ペダル１１０を元に戻すためのバネ１２７などから構成されている。中空棒１２１は、その頂面にて補助ペダル１１０を支持している。また、芯棒１２３は、その下端にて当接板１１５を支持している。
【０００４】
以上の補助ペダル装置を使用するには、図８に示すように、まず、演奏用椅子Ｃの高さを調節することにより、演奏者とピアノの鍵盤との位置合わせを行い、次いで、ジャッキ１０３の高さ調節レバー１０３ａを調節することにより、演奏者の足が十分に補助ペダル１１０に届く高さとなるように演奏者の足と補助ペダルとの位置合わせを行う。その後、伝達部材１１３の長さ調節ネジ１２５を緩める。すると、芯棒１２３が中空棒１２１の内部を下方向にスライドし、当接板１１５がピアノのペダルＰに当たる位置で停止する。この状態で長さ調節ネジ１２５を締める。これにより、演奏者は補助ペダル１１０を介してピアノのペダルＰを足で操作することが可能になる。
【０００５】
【発明が解決しようとする課題】
しかしながら、上記補助ペダル装置では、芯棒１２３は自重により中空棒１２１内を下方にスライドする構造のため、時として芯棒１２３が途中で引っかかり落下してこないおそれがあった。このような場合、芯棒１２３を手で下方に引き出すのであるが、ピアノのペダルＰと補助ペダル装置との間隔が狭く十分なスペースがないため、この操作は非常にやりにくいものであった。
【０００６】
また、芯棒１２３の長さを調整するための長さ調節ネジ１２５が裏面から下方に離れた位置に設けられているため、演奏者は座った状態では手が届かず、一旦演奏椅子Ｃから下りてその長さ調整を行う必要があり煩雑であった。
本発明は上記課題に鑑みなされたものであり、その目的は、補助ペダルの長さ調節をスムーズに行うことのできる補助ペダル装置を提供することにある。また、別の目的は、補助ペダルの長さ調節を演奏者が演奏用椅子に座ったまま行うことのできる補助ペダル装置を提供することにある。
【０００７】
【課題を解決するための手段及び発明の効果】
上記課題を解決するため、本発明は、請求項１に記載したように、ピアノの椅子に腰掛けたとき演奏者の足がピアノのペダルに十分届かないような場合に使用するピアノ演奏用補助ペダル装置であって、
高さ調節自在の足置板と、
該足置板上にて揺動可能に設けられた補助ペダルと、
前記補助ペダルの踏み込み力を前記ピアノのペダルに伝達する伝達部材と
を備え、
前記伝達部材はガススプリングを有し、該ガススプリングの操作レバーにより長さ調節可能であることを特徴とする。
【０００８】
本発明の補助ペダル装置では、まず、演奏用椅子の高さを調節することにより演奏者とピアノの鍵盤との位置合わせを行い、続いて、足置板の高さを調節することにより演奏者の足と補助ペダルとの位置合わせを行い、次いで、操作レバーを操作して伝達部材の長さを調節することにより補助ペダルとピアノのペダルとの位置合わせを行う。
【０００９】
本発明に用いるガススプリングは、事務用椅子などで広く用いられている周知のガススプリングを利用することができる。
例えば、請求項２に記載したように、ガスシリンダと、該ガスシリンダに対して突出・没入するピストンロッドと、前記ピストンロッドの突出長さを調節する操作レバーとを備え、前記操作レバーをオンにすると前記ピストンロッドはガスにより突出方向に付勢され、前記操作レバーをオフにすると前記ピストンロッドは位置固定されるものを用いることができる。
【００１０】
本発明によれば、伝達部材はガススプリングによって長さが可変であるため、伝達部材を長くする際にはガススプリングのガスの作用により長く延び出す。このため、自重の作用のみで長く延び出す構造の従来の補助ペダル装置に比べて、途中で引っかかったりするおそれがなく、伝達部材の長さ調節をスムーズに行うことができるという効果が得られる。
【００１１】
また、本発明では、請求項３に記載したように、前記ピストンロッドを突出方向に付勢するガスの付勢力は、前記ピアノのペダルを踏込方向に揺動させるための踏込力よりも小さく設定されていることが好ましい。
この場合、ピストンロッドが突出方向に延び出している途中で（つまり伝達部材の長さが長くなるように作動している途中で）、伝達部材の下端がピアノのペダルに達したとしても、該ピアノのペダルを踏込方向に揺動させることはない。つまり、伝達部材の下端がピアノのペダルに当たった後は、両者の位置関係は変わらない。このため、操作レバーを操作して伝達部材の長さを調節する際、操作レバーをオフにするタイミングは伝達部材の下端がピアノのペダルに当たった後であればいつでもよく、操作が簡易になるという効果が得られる。
【００１２】
なお、ガススプリングのガスの付勢力は、更に、伝達部材の下端がピアノのペダルに当接している状態で足置板を低くしたとしても該ピアノのペダルを踏込方向に揺動させることはなくピストンロッドがガスシリンダ内に没入されて伝達部材の長さが短くなるように設定されているのが好ましい。通常は足置板の高さ調節を行ったあと伝達部材の長さ調節を行うのであるが、足置板の高さが高すぎたことに後から気づくことがある。このようなとき、上記のようにガスの付勢力が設定されていれば、操作レバーをオフにした状態で足置板の高さを低くすると、これに伴ってピストンロッドが短く修正される（つまり伝達部材の長さが短くなる）ため、伝達部材の長さの修正を容易に行えるという効果が得られる。
【００１３】
更に、本発明では、請求項４に記載したように、前記ガススプリングの操作レバーは、前記足置板の裏面近傍に設けられていることが好ましい。この場合、演奏者は演奏用椅子に座ったままでも手を延ばせば操作レバーに届くため、いちいち演奏用椅子から下りる必要がないという効果が得られる。
【００１４】
【発明の実施の形態】
以下に、本発明の好適な実施例を図面に基づいて説明する。
図１は本実施例の補助ペダル装置の斜視図、図２は本実施例の補助ペダル装置の主要部の断面図である。
【００１５】
本実施例の補助ペダル装置１は、図１に示すように、主として、台枠２、ジャッキ３、足置板５、補助ペダル１０、伝達部材１３、操作レバー２８などから構成されている。
台枠２は、図８に示した従来の補助ペダル装置の台枠１０２と同様、幼児などの演奏者が腰掛ける演奏用椅子ＣとピアノペダルＰとの間で床上におくことができる大きさに形成されたものである。
【００１６】
ジャッキ３は、図８に示した従来の補助ペダル装置のジャッキ１０３と同様、高さ調節レバー３ａを回転させることにより、足置板５を支持するＸ字状の交叉脚３ｂが上下する周知のものである。
足置板５は、ジャッキ３により高さ調節自在に支持されており、上面にはペダル箱７が設けられている。
【００１７】
補助ペダル１０は、ペダル箱７に揺動自在に支持されている。
伝達部材１３は、図２に示すように、中空棒２１とこの中空棒２１内の下方に固定されたガススプリング２５から構成されている。ガススプリング２５は事務用椅子などに広く用いられている周知のものであり、ガスシリンダ２６とピストンロッド２７と操作レバー２８を備えている。
【００１８】
伝達部材１３を構成する中空棒２１は、足置板５の上面側から裏面側へ貫通し更に外筒部材３０を挿通するように、具体的には足置板５の貫通孔５ａ、足置板５の下面に固着されたテーパ板６の貫通孔６ａ、テーパ板６の下面に固着された上方軸受板１６に設けた軸受カラー１７、上方軸受板１６の下面に固着された外筒部材３０の下部内周に固持された下方軸受板１８に設けた軸受カラー１９を挿通するように設けられている。
【００１９】
この伝達部材１３の上端すなわち中空棒２１の上端は補助ペダル１０を支持しており、伝達部材１３の下端すなわちピストンロッド２７の下端はピアノのペダルＰに当接可能な形状に形成された当接板１５を備えている。
また、伝達部材１３の中段位置の外周にはツバ１３ａが設けられ、このツバ１３ａと軸受カラー１９との間には圧縮コイルバネ２３が配設されている。したがって、補助ペダル１０が踏み込まれたときには伝達部材１３が下方に移動して圧縮コイルバネ２３が圧縮され、その後踏み込みが解除されたときには圧縮コイルバネ２３がツバ１３ａを上方に付勢するため伝達部材１３は上方に移動して補助ペダル１０は元の位置に戻る。
【００２０】
操作レバー２８は、外筒部材３０に設けた窓３１を挿通するように設けられ、この窓３１に架け渡されたレバー回動軸３２に回動可能に支持されている。また、中空棒２１には上下方向に長く延びる一対の長穴１３ｂ、１３ｂが設けられており、操作レバー２８はこの一対の長穴１３ｂ、１３ｂを横方向に貫通している。この操作レバー２８の作動部２８ａは、ガスシリンダ２６の上端面に設けたバルブ開閉用の突起２９の上方に配置されており、作動部２８ａ側の端部と上方軸受板１６との間には戻しバネ３３が架設されている。
【００２１】
突起２９は、常に上方向に付勢されてガススプリング２５の図示しないバルブを閉じており、その付勢に抗して操作レバー２８の作動部２８ａにより没入されるとバルブを開くものである。
尚、ガススプリング２５の図示しないバルブは、開いたときにはガスシリンダ２６においてピストンロッド２７側の室（図示せず）とガスシリンダ２６側の室（図示せず）とを連通し、閉じたときには遮断するものである。そしてこのバルブが開いたとき、ガススプリング２５に負荷がかかっていなければガスの作用によりピストンロッド２７はガスシリンダ２６から延び出して長くなり、負荷がかかっていればピストンロッド２７はその負荷の作用により停止したりあるいは没入して短くなったりする。また、このバルブが閉じたとき、ピストンロッド２７はその位置で固定される。
【００２２】
本実施例では、ガススプリング２５のガス圧は、ピストンロッド２７を突出方向に付勢するガスの付勢力がピアノのペダルＰを踏込方向に揺動させるための踏込力よりも小さくなるように、予め設定されている。このため、ガスの作用によりピストンロッド２７が延び出している途中で当接板１５がピアノのペダルＰに達したとしても、ピアノのペダルＰは当接板１５に押されて踏込方向に揺動してしまうことはない。
【００２３】
また、ガススプリング２５のガス圧は、当接板１５がピアノのペダルＰに当接している状態で操作レバー２８をオフにし且つジャッキ３により足置板５を低くした場合に、当接板１５がピアノのペダルＰを踏込方向に揺動させることはなくピストンロッド２７がガスシリンダ２６内に没入されて伝達部材１３の長さが短くなるように、予め設定されている。
【００２４】
次に、上記補助ペダル装置１の動作について説明する。尚、当初は、補助ペダル装置１のピストンロッド２７はガスシリンダ２６内に没入されているものとする。
まず、従来の補助ペダル装置と同様、図８に示すように、演奏用椅子Ｃの高さを調節することにより、演奏者とピアノの鍵盤との位置合わせを行う。
【００２５】
続いて、ジャッキ３の高さ調節レバー３ａを調節することにより、演奏者の足が十分に補助ペダル１０に届く高さとなるように演奏者の足と補助ペダル１０との位置合わせを行う。
次いで、伝達部材１３の長さを調節するために、操作レバー２８のハンドル部２８ｂを持ち上げる（オン状態、図２にて２点鎖線で表示）。すると、操作レバー２８は外筒部材３０に設けたレバー回動軸３２を中心として図２にて反時計まわりに回動するため、操作レバー２８の作動部２８ａは戻しバネ３３のバネ力に抗して下方に移動し、バルブ開閉用の突起２９を押し下げる。
【００２６】
すると、ガススプリング２５の図示しないバルブが開き、当接板１５を備えたピストンロッド２７がガスの付勢力によって下方に延び出す。そして、図２にて２点鎖線で示したようにピストンロッド２７の下端に取り付けた当接板１５がピアノのペダルＰに当たると、ピストンロッド２７はその位置で停止する。
【００２７】
すなわち、本実施例では、ガススプリング２５のガス圧は、ピストンロッド２７を突出方向に付勢するガスの付勢力がピアノのペダルＰを踏込方向に揺動させるための踏込力よりも小さくなるように、予め設定されている。このため、ガスの付勢力によりピストンロッド２７が延び出して当接板１５がピアノのペダルＰに達すると、ピストンロッド２７はピアノのペダルＰを踏込方向に揺動させることなくその位置で停止するのである。
【００２８】
このように当接板１５がピアノのペダルＰに達した後、操作レバー２８のハンドル部２８ｂから手を離すと、操作レバー２８は戻しバネ３３の作用によりレバー回動軸３２を中心として図２にて時計回りに回動し元の位置（オフ状態、図２にて実線で表示）に戻る。これにより、操作レバー２８の作動部２８ａはガススプリング２５のバルブ開閉用の突起２９の上方に離間し、突起２９は元の位置に復帰して図示しないバルブが閉じられる。この結果、ピストンロッド２７はその位置で固定される。以上のようにして、伝達部材１３の長さは、補助ペダル１０を踏めばそれに連動してピアノのペダルＰが作動する長さに調節される。
【００２９】
ところで、上記のように伝達部材１３の長さ調節を終えた後に、足置板５の高さが高すぎたことに気づいた場合には、図３に示すように、以下の操作により足置板５の高さ調節と伝達部材１３の長さ調節を容易に修正することができる。図３は、本実施例の補助ペダル装置の足置板の高さ及び伝達部材の長さを修正するときの説明図である。
【００３０】
すなわち、図３に示すように、操作レバー２８のハンドル部２８ｂを持ち上げた状態のまま、ジャッキ３の高さ調節レバー３ａを回転させて足置板５を下げる。ここで、本実施例では、当接板１５はピアノのペダルＰを踏込方向に揺動させることなくピストンロッド２７がガスシリンダ２６内に没入されるように、ガススプリング２５のガス圧が予め設定されている。このため、足置板５が低くなるのに伴って伝達部材１３も短くなる。したがって、足置板５の高さの修正が終わったとき（図４にて２点鎖線で表示）、操作レバー２８から手を離せば（図４にて１点鎖線で表示）、伝達部材１３の長さの修正も同時に終了する。
【００３１】
次に、上記のように調整を終えた補助ペダル装置１の補助ペダル１０を使って演奏者がピアノを演奏する場合について図４に基づいて説明する。図４は本実施例の補助ペダル装置を使って演奏した時の使用説明図である。
演奏者が補助ペダル１０を踏み込むと、図４に示すように、伝達部材１３を構成する中空棒２１とガススプリング２５のピストンロッド２７が一体となって下方に移動して当接板１５がピアノのペダルＰを踏込方向に揺動させる。このとき圧縮コイルバネ２３は中空棒２１のツバ１３ａにより圧縮される。また、操作レバー２８は、中空棒２１に設けた長穴１３ｂ、１３ｂを貫通しているため、中空棒２１と干渉することはない。その後、演奏者が補助ペダル１０の踏み込みを解除すると、圧縮コイルバネ２３が中空棒２１のツバ１３ａを上方に付勢することにより伝達部材１３が上方に移動するため、補助ペダル１０は元の位置（図２参照）に戻る。
【００３２】
上記実施例によれば、下記の効果が得られる。
▲１▼伝達部材１３はガススプリング２５のガスの作用により長く延び出す。このため、自重の作用のみで長く延びていた従来の補助ペダル装置に比べて、途中で引っかかったりするおそれがなく、スムーズに延び出すという効果が得られる。
【００３３】
▲２▼ピストンロッド２７が突出方向に延び出している途中で（つまり伝達部材１３の長さが長くなるように作動している途中で）、当接板１５がピアノのペダルＰに達したとしても該ピアノのペダルＰを踏込方向に揺動させることはない。つまり、当接板１５がピアノのペダルＰに当たった後は、両者の位置関係は変わらない。このため、操作レバー２８を操作して伝達部材１３の長さを調節する際、操作レバー２８をオフにするタイミングは当接板１５がピアノのペダルＰに当たった後であればいつでもよく、操作が簡易になるという効果が得られる。
【００３４】
▲３▼足置板５の高さが高すぎたことに後から気づいた場合、操作レバー２８のハンドル部２８ｂを持ち上げた状態のまま、ジャッキ３の高さ調節レバー３ａを回転させて足置板５を下げれば、足置板５が下がるのに伴って伝達部材１３も短くなる。このため、足置板５の高さの修正が終わったとき、操作レバー２８から手を離せば、伝達部材１３の長さの修正も同時に終了し、修正作業が容易に行えるという効果が得られる。
【００３５】
▲４▼ガススプリング２５の操作レバー２８は、足置板５の裏面近傍からピアノに向かって延び出すように設けられているため、演奏者は演奏用椅子Ｃに座ったままでも操作レバー２８に手が届く。このため、演奏者は演奏用椅子から下りることなく座ったままで伝達部材１３の長さ調節を行うことができるという効果が得られる。
【００３６】
尚、本発明は上記実施例によってなんら限定されることはなく、本発明の技術的範囲に属する限り種々の態様で実施できることはいうまでもない。
例えば、上記実施例において、バルブ操作レバーは図５に示すようにピアノの幅方向（左右方向）に延び出すように設けてもよく、この場合でも上記実施例と同様の効果が得られる。
【図面の簡単な説明】
【図１】本実施例の補助ペダル装置の斜視図である。
【図２】本実施例の補助ペダル装置の主要部の断面図である。
【図３】本実施例の補助ペダル装置の足置板の高さ及び伝達部材の長さを修正するときの説明図である。
【図４】本実施例の補助ペダル装置を使って演奏した時の断面図である。
【図５】他の実施例の補助ペダル装置の斜視図である。
【図６】従来例の補助ペダル装置の斜視図である。
【図７】従来例の補助ペダル装置の主要部の断面図である。
【図８】従来例の補助ペダル装置の使用説明図である。
【符号の説明】
１・・・補助ペダル装置、２・・・台枠、３・・・ジャッキ、３ａ・・・高さ調節レバー、３ｂ・・・交叉脚、５・・・足置板、７・・・ペダル箱、１０・・・補助ペダル、１３・・・伝達部材、１３ａ・・・ツバ、１３ｂ・・・長穴、１５・・・当接板、２１・・・中空棒、２３・・・圧縮コイルバネ、２５・・・ガススプリング、２６・・・ガスシリンダ、２７・・・ピストンロッド、２８・・・操作レバー、２８ａ・・・作動部、２８ｂ・・・ハンドル部、２９・・・突起、３０・・・外筒部材、３１・・・窓、３２・・・レバー回動軸、３３・・・戻しバネ、Ｐ・・・ペダル。
【図１】
0003585334.tif 000002
【図２】
0003585334.tif 000003
【図３】
0003585334.tif 000004
【図４】
0003585334.tif 000005
【図５】
0003585334.tif 000006
【図６】
0003585334.tif 000007
【図７】
0003585334.tif 000008
【図８】
0003585334.tif 000009